(57)【要約】  負荷、及び、電源から供給される可変電圧を、前記負荷を駆動させる一定操作電圧に変換するために、電源と前記負荷に連結されている電圧変換システムを備えているカミソリ。更なる実施形態には、ユーザーによって操作可能なスイッチと安全解除スイッチ、使用度表示器とカウンタ、モータと速度制御装置、剃毛力感知回路が備わっている。
2009506858.tif 000002
【特許請求の範囲】
【請求項１】
電動湿式カミソリであって、
電源に連結された負荷、
前記電源と前記負荷との間のエネルギーの流れを制御するための、ユーザーによって操作可能なスイッチ、及び
ユーザーによって操作可能な前記スイッチが前記電源の排流を引き起こすことを防ぐ安全解除スイッチ、
を備えるカミソリ。
【請求項２】
前記安全解除スイッチが機械スイッチ又は電気スイッチを備える、請求項１に記載のカミソリ。
【請求項３】
前記安全解除スイッチが、デコーダの状態を変化させるために入力信号を受信するためのユーザー入力と、前記デコーダの状態を示す出力信号を伝える出力と、を有するデコーダを備える、請求項１に記載のカミソリ。
【請求項４】
前記安全解除スイッチが、前記スイッチの状態を示す信号を伝えるための出力と、剃毛時間の経過後に前記状態を変更するタイマーと、を備える、請求項１に記載のカミソリ。
【請求項５】
前記安全解除スイッチが、剃毛カートリッジの取り外しに応じて状態を変更するよう構成されている、請求項１に記載のカミソリ。
【請求項６】
電動湿式カミソリであって、
負荷、及び、
前記負荷及び電源に連結される電圧変換システムであって、前記電源から供給される可変電圧を、前記負荷を駆動させる一定操作電圧に変換するよう構成されている前記電圧変換システム、
を備えるカミソリ。
【請求項７】
前記電圧変換システムが、
前記可変電圧を測定するために前記電源に連結される電圧モニタ、及び
前記電圧モニタに連結される制御回路であって、前記可変電圧の測定値に基づいて前記電圧変換システムの出力を制御するよう構成されている前記制御回路
を備える、請求項６に記載のカミソリ。
【請求項８】
電動湿式カミソリであって、
カートリッジの使用を示す使用度信号を提供するよう構成されている使用度表示器、及び
前記使用度表示器と連通するカウンタであって、リセット信号に応じて回数をリセットし、前記使用度信号に応じて回数を変更するよう構成されている前記カウンタ、
を備えるカミソリ。
【請求項９】
電動湿式カミソリであって、
ブレードを支持するためのハンドル、
前記ブレードを振動させるためのモータ、及び
前記モータの速度を変化させるための速度制御装置を備えるカミソリ。
【請求項１０】
前記速度制御装置を制御するよう配置された速度制御スイッチを更に備えている、請求項９に記載のカミソリ。
【請求項１１】
電動湿式カミソリであって、
遠位端を有するハンドル、
前記遠位端を振動させるように構成されているモータ、
前記遠位端に加えられた剃毛力を示す剃毛力信号を生成するように構成されている剃毛力感知回路を備えるカミソリ。
【請求項１２】
前記剃毛力感知回路が、前記モータに与えられた負荷に依存する剃毛力信号を生成するように構成されている、請求項１１に記載のカミソリ。
【請求項１３】
前記モータに与えられた負荷に応じて前記モータによって引き出される電流を感知するための電流センサが備える、請求項１１に記載のカミソリ。
【発明の詳細な説明】
【技術分野】
【０００１】
本発明はカミソリに関するものであり、より詳細には電動湿式剃毛カミソリに関するものである。
【背景技術】
【０００２】
近年、一部の湿式剃毛カミソリには、剃毛カートリッジを振動させるための電池式モータが備わっている。このような湿式剃毛カミソリの一つに、ジレット社（Gillette Company）からジレット（登録商標）Ｍ３パワー（商標）（Ｇｉｌｌｅｔｔｅ（登録商標）Ｍ３Ｐｏｗｅｒ（商標））という商品名で販売されているものがある。このカミソリは、ハンドル内の電池室に配置した電池、交換可能カートリッジが上に取り付けらる遠位端に連結しているモータを特徴としている。ハンドル上のボタンをユーザーが押すと、機械スイッチが作動し、続いて回転錘を動かすモータが始動する。
【発明の開示】
【課題を解決するための手段】
【０００３】
ある態様では、本発明は、カートリッジの使用を示す使用度信号を提供するよう構成されている使用度表示器、及び、前記使用度表示器と連通するカウンタを備えている電動湿式カミソリを特徴としている。前記カウンタは、リセット信号に応じて回数をリセットし、前記使用度信号に応じて回数を変更するよう構成されている。
【０００４】
一部の実施形態では、前記カミソリにはカートリッジ検出器も備わっている。前記カートリッジ検出器は、前記カミソリにカートリッジを取り付けるのに応じてリセット信号を生成するよう構成されている。
【０００５】
その他の実施形態としては、前記使用度表示器に、モータ状態の変化を示すデータを前記カウンタに提供する作動スイッチが備わっているもの、前記使用度表示器に、モータが特定の状態にある時間間隔を示すデータを前記カウンタに提供するタイマーが備わっているもの、前記使用度表示器に、前記カートリッジと皮膚表面との間の接触の発生を示すデータを前記カウンタに提供する毛剃り操作検出器が備わっているもの、前記使用度表示器に、前記カートリッジと皮膚表面との間の接触の発生を示す毛剃り操作データを提供する毛剃り操作検出器、並びに、前記毛剃り操作検出器と、前記接触の時間範囲を示すデータを前記カウンタに提供するカウンタの双方と連通するタイマーの双方が備わっているものが挙げられる。
【０００６】
別の態様では、本発明は、電源に連結された負荷、前記電源と前記負荷との間のエネルギーの流れを制御するための、ユーザーによって操作可能なスイッチ、及び、前記ユーザーによって操作可能なスイッチが電源の排流を引き起こすことを防ぐ安全解除スイッチを備えている電動湿式カミソリを特徴としている。
【０００７】
一部の実施形態では、安全解除スイッチとしては、前記ユーザーによって操作可能なスイッチの操作を妨げる第１の状態、及び、前記ユーザーによって操作可能なスイッチの操作が可能な第２の状態を有する機械スイッチが挙げられる。このような機械スイッチの一例には、前記ユーザーによって操作可能なスイッチ用の着脱式カバーが含まれている。
【０００８】
別の実施形態では、安全解除スイッチには、ユーザーによって操作可能な電気スイッチが備わっている。
【０００９】
更なる実施形態としては、前記安全解除スイッチに、デコーダの状態を変化させるために入力信号を受信するためのユーザー入力を備えているデコーダ、及び、前記デコーダの状態を示す出力信号を伝える出力が備わっているもの、並びに、前記安全解除スイッチに、前記スイッチの状態を示す信号を伝える出力、及び、剃毛時間の経過後に状態を変更するタイマーが備わっているものが挙げられる。その他の実施形態としては、前記安全解除スイッチが、剃毛カートリッジの取り外しに応じて状態を変更するよう構成されているもの、及び、前記安全解除スイッチが、前記カミソリをホルダーから取り外したのに応じて状態を変更するよう構成されているものが挙げられる。
【００１０】
本発明の別の態様は、ブレードを支持するためのハンドル、前記ブレードを振動させるためのモータ、及び、前記モータの速度を変化させるための速度制御装置を備えている電動湿式カミソリを特徴としている。
【００１１】
一部の実施形態では、前記カミソリには、前記速度制御装置を制御するよう配置させた速度制御スイッチも備わっている。これらの実施形態の中には、前記速度制御スイッチが、前記速度制御装置で前記モータの速度を連続的に変化させるよう構成されているもの、前記速度制御スイッチが、複数の所定の速度から選択するよう構成されているものがある。
【００１２】
本カミソリの特定の実施形態には、特定速度の記憶用メモリも備わっている。
【００１３】
更なる実施形態としては、速度制御装置に、パルス列を前記モータに提供するパルス幅変調器が備わっているものが挙げられる。これらの実施形態のうちの一部では、速度制御スイッチが、前記パルス列の特性を変化させるよう構成されている。
【００１４】
別の実施形態では、速度制御スイッチが、前記パルス列のデューティーサイクルを変化させるよう構成されている。別の実施形態では、カミソリに、前記速度制御装置及び前記速度制御スイッチと連通する制御回路も備わっている。前記制御回路は、前記速度制御スイッチが提供する信号に基づいて、前記パルス幅変調器を制御するよう構成されている。
【００１５】
制御回路を備えている実施形態の中には、前記制御回路が、前記モータに洗浄サイクルを実施させるよう構成されているもの、前記制御回路が、前記モータに振動数域全体の掃引をさせるよう構成されているもの、及び、前記制御回路が、前記モータに複数の振動数を段階的に進めさせるよう構成されているものがある。
【００１６】
別の態様では、本発明は、負荷、及び、前記負荷と電源に連結する電圧変換システムを備えている電動湿式カミソリを特徴としている。前記電圧変換システムは、前記電源から供給される可変電圧を、負荷を駆動するための一定操作電圧に変換するよう構成されている。
【００１７】
実施形態としては、前記電圧変換システムに、前記可変電圧を計測するために前記電源に連結する電圧モニタが備わっているもの、及び、制御回路が前記電圧モニタに連結するものが挙げられる。前記制御回路は、前記可変電圧の測定値に基づいて、前記電圧変換システムの出力を制御するよう構成されている。これらの実施形態の中には、前記制御回路が、前記電圧変換システムの前記出力を制御し、前記一定操作電圧が前記可変電圧未満となるよう構成されているもの、前記制御回路が、前記電圧変換システムの出力を制御し、前記一定操作電圧が可変電圧を超えるよう構成されているもの、前記制御回路が、前記可変電圧の操作閾値到達の検出に応じて低電力信号を提供するよう構成されているもの、及び前記制御回路が、前記可変電圧の深放電閾値到達の検出に応じて前記カミソリの操作を止めるよう構成されているものがある。
【００１８】
別の実施形態では、前記電圧変換システムに、制御信号に応じて変化するデューティーサイクルを有するパルス幅変調器が備わっている。これらの実施形態では、制御回路は、制御信号を前記パルス幅変調器に提供させるよう構成されている。前記制御信号は、可変電圧の測定値に依存する。
【００１９】
更なる実施形態としては、前記電圧変換システムに、コンデンサ、及び、前記可変電源と直列のインダクタが備わっているものが挙げられる。前記インダクタ及び前記コンデンサは、前記コンデンサ内の電圧が前記インダクタ内の電圧に依存するよう配列させる。これらの実施形態には、前記インダクタ内の電圧を調節する発振器も備わっている。前記制御回路は、前記発振器を制御し、それにより前記コンデンサ内の前記電圧を制御するよう構成されている。
【００２０】
これらの実施形態の一部では、前記制御回路は、前記コンデンサ内の前記電圧を動力源とするよう構成されている。
【００２１】
他の実施形態では、前記カミソリに、前記発振器を始動する外部スイッチも備わっており、それにより前記コンデンサ内の前記電圧を、前記制御回路の初期化させるのに十分な大きさにする。これらの実施形態の中には、前記スイッチと前記制御回路と連通する減結合回路も備えているものがある。前記減結合回路は、前記コンデンサ内の前記電圧が前記制御回路の初期化に十分な大きさであることを検出し、それに応じて、前記発振器の制御を前記外部スイッチから前記制御回路に移すよう構成されている。
【００２２】
更なる実施形態としては、前記減結合回路が、前記制御回路で前記外部スイッチの状態を特定できるよう構成されているものが挙げられる。
【００２３】
他の実施形態には、前記コンデンサと前記インダクタ間に単方向性伝導体が備わっている。前記単方向性伝導体には、例えば、ダイオード、又は、ＲＣ回路で制御される制御端子を有するトランジスタを搭載することができる。
【００２４】
前記カミソリの実施形態としては、操作閾値に達した前記可変電圧を示すユーザー検出信号を提供する表示器を備えているものも挙げられる。
【００２５】
別の態様では、本発明は、ハンドル、前記ハンドルの遠位端を振動させるよう構成されているモータ、及び、前記遠位端に加わる剃毛力を示す剃毛力信号を生成するよう構成されている剃毛力感知回路を備えている電動湿式カミソリを特徴としている。
【００２６】
ある実施形態では、前記剃毛力感知回路は、前記モータに与えられた負荷によって決まる剃毛力信号を生成するように構成されている。これらの中には、前記剃毛力感知回路に、与えられた負荷に応じて前記モータによって引き出される電流を感知する電流センサが備わっている実施形態、及び、前記剃毛力感知回路に、与えられた負荷に応じてモータ速度を感知する速度センサが備わっている実施形態がある。
【００２７】
更なる実施形態としては、前記剃毛力信号に基づいて、剃毛力を示す可観信号を生成する表示器を備えているものが挙げられる。
【００２８】
更に別の態様では、本発明は、負荷、及び、可変電源から供給される電圧を制御してこれらの電圧を前記負荷に送り出す手段を備えている電動湿式カミソリを特徴としている。
【００２９】
本発明の１つ以上の実施形態の詳細を添付図面及び以下の説明に記載する。本発明の他の特徴、目的、及び利点は、説明及び図面、並びに請求項によって明白になるであろう。
【発明を実施するための最良の形態】
【００３０】
かみそりの全体構造
図１を参照すると、カミソリハンドル１０には、カミソリヘッド１２、グリップチューブ１４、及び電池ケース１６が備わっている。カミソリヘッド１２は、カミソリ技術分野で周知であるように、ハンドル１０上に交換可能なカミソリカートリッジ（図示なし）を取り付けるための接続構造が備わっている。グリップチューブ１４は、剃毛中にユーザーが保持する構成とともに、カミソリの電池式機能、例えば、プリント基板、及び、振動を起こす構成のモータを備えているカミソリ構成要素を収容する構成になっている。グリップチューブは封止ユニットであり、前記チューブにヘッド１２をしっかりと取り付けて、モジュール製造を可能にして、以下に記載されているその他の利点を提供する。図３を参照すると、電池ケース１６はグリップチューブ１４に取り外し可能な状態で取り付けられており、ユーザーが電池ケースを取り外して電池１８を交換できるようになっている。電池ケースとグリップチューブの接合面は、例えばＯリング２０で封止し、防水アセンブリをもたらして、カミソリ内の電池及び電子品を保護する。Ｏリング２０は一般に、グリップチューブ上の溝２１（図５）に、例えば、締まりばめによって取り付ける。図１を再度参照すると、グリップチューブ１４には作動ボタン２２が備わっており、これをユーザーが押すことによって、電子スイッチ２９（図７Ａ）を介してカミソリの電池式機能を作動させる。また、グリップチューブには透明ウィンドウ２４が備わっており、これによりユーザーがライト３１若しくはディスプレイ、又は、その他の可視表示部（図７Ａ）、例えばＬＥＤ又はＬＣＤを見ることができ、前記可視表示部によって電池の状態、及び／又はその他の情報をユーザーに視覚的に示す。ライト３１は、透明ウィンドウの真下のグリップチューブ内に備わっている開口部４５（図８）を通じて光を放つ。以下では、カミソリハンドルのこれらの特徴、及び、その他の特徴を更に詳細に記載する。
【００３１】
グリップチューブのモジュール構造
上述したように、グリップチューブ１４（図４及び５に詳細に図示）はモジュールアセンブリであり、グリップチューブ１４にはカミソリヘッド１２をしっかりと取り付ける。グリップチューブがモジュールであるため、多種多様なタイプのカミソリヘッドと共に使用するものとして、単一タイプのグリップチューブを製造できるのは有利である。言い換えると、これにより、ヘッドは異なるが同一の電池式機能を備えている製品「群」の製造が容易になる。グリップチューブは、電池ケースが取り付けられる末端部にある開口部２５以外は防水であり、一つの一体型部品であるのが好ましい。従って、カミソリハンドル１０の防水の確保のために必要な唯一の封止部は、グリップチューブと電池ケースのとの間のＯリング２０（図３）による封止部である。この単一封止構造により、水や水分がカミソリハンドル内に侵入し、電子品を損傷させるリスクを最小限に抑える。
【００３２】
図６に示したように、グリップチューブ１４にはサブアセンブリ２６（図７Ｃにも図示）が備わっており、サブアセンブリ２６には、振動モータ２８、プリント基板３０、電子スイッチ２９、及び、プリント基板上に取り付けられているライト３１、並びに、電子品に電池の電力を供給するプラス接触子３２が備わっている。これらの構成要素はキャリア３４内に集まっており、前記キャリアには、電池クランプフィンガ３６、及び、雄型差し込み部３８も備わっている。電池クランプフィンガ３６、及び、雄型差し込み部３８の機能については、以下の電池クランプ及び電池ケース取り付け具の項で論じる。カミソリの全ての機能電子構成要素のアセンブリをキャリア３４上に置くことにより、電池式機能の予備検査が可能となり、不良品を早期に検出できるようになり、完成したカミソリを廃棄するというコストのかかる作業が最低限に抑えられる。サブアセンブリ２６には、絶縁スリーブ４０及び取り付けテープ４２が含まれている。絶縁スリーブ４０及び取り付けテープ４２の機能については、以下の電池クランプの項で論じる。
【００３３】
サブアセンブリ２６は、図７〜７Ｃに示したように組み立てる。まず、プラス接触子３２をＰＣＢキャリア４４上に組み立ててから、キャリア３４上に取り付ける（図７）。次に、プリント基板３０をＰＣＢキャリア４４内に配置し（図７Ａ）、プリント基板上にはんだ付けされているリード線４６を備えているキャリア３４（図７Ｂ）上に振動モータ２８を取り付け、サブアセンブリ２６（図７Ｃ）を完成させる。次いで、グリップチューブ内への組み立てに先立ち、サブアセンブリの検査を行ってもよい。
【００３４】
サブアセンブリ２６は、取り外せない状態で内部に保持されるように、グリップチューブ内へ組み立てる。例えばサブアセンブリ２６には、グリップチューブ内壁の当該凹部を締まりばめで嵌め合わせる突出部又はアームを搭載してもよい。
【００３５】
グリップチューブには作動ボタン２２も備わっている。剛性の作動ボタンは、上述のウィンドウ２４を備えている収容部材４８（図８）の上に取り付ける。収容部材４８には、作動部材５２を備えている片持ちばり５０が備わっている。作動部材５２は下部の弾力膜５４（図８）に、ボタン２２に加える力を伝達させる。膜５４は例えばエラストマー材にしてよく、エラストマー材はグリップチューブ上に成形させて、膜だけではなくエラストマーつかみ部も形成させる。片持ちばりは膜と連動して作用し、ユーザーがボタン２２を押し下げた後に、通常の位置へボタン２２を戻す復元力を提供する。ボタンを押し下げると、作動部材５２がその下部の電子的スイッチ２９と接触し、ＰＣＢ３０の回路を作動させる。回路の作動は、「押して放す」オンオフ式、又はその他望ましい操作法、例えば、プッシュオン／プッシュオフ式としてもよい。電子スイッチ２９は、作動した際に「カチッ」と音をたて、機器の電源が正しく入ったことをユーザーに伝える。スイッチは、好ましくは、少ない変位に対し比較的強い作動力（例えば、約０．２５ｍｍの変位に対し少なくとも４Ｎ）を要する構成となっている。このスイッチ機構は、ボタン２２のくぼんだコンパクト形状と合わさって、カミソリが輸送中に誤って作動したり、剃毛中に不用意に停止するのを防ぐ傾向がある。更に、スイッチ／膜／作動部材アセンブリの構造は、ユーザーに良好な触感を与える。作動部材５２は、ボタン２２も所定の位置に保持し、作動部材５２の中央にある開口部５５が、ボタン２２の下面にある突出部５６を受容する（図８Ｂ）。
【００３６】
ボタン２２に隣接して透明ウィンドウ２４があり、それを通じてユーザーは下部にあるライトによってもたらされる表示（以下の電子品の項で詳細に説明）を確認できる。
【００３７】
グリップチューブ上のウィンドウ２４及び作動ボタンのアセンブリを図８〜８Ｄに示す。まず、ウィンドウ２４を保持する収容部材４８を、例えば、接着、超音波、又は熱溶接によってグリップチューブ上に封止して取り付け（図８）、上述した一体型防水部分を形成させる。次いで、ボタン２２を定位置に滑り入れ、静かに（好ましくは１０Ｎ未満の力で）収容部材の開口部内に押し下げ、突出部５６を開口部５５に嵌め合わせる（図８Ａ〜８Ｃ）。
【００３８】
電池ケース取り付け具
上述のように、電池ケース１６はグリップチューブ１４に取り外し可能な状態で取り付け、電池の取り出しと交換を可能にする。ハンドルの２つの部分を接続し、バイオネット接続によって、電池の負端子と電子構成要素の間に電気接続を確立させる。グリップチューブにはバイオネット接続の雄型部分を搭載し、一方電池ケースには雌型部分を搭載させる。明確にするためにグリップチューブと電池ケースを除いた状態で、組み立て済みのバイオネット接続を図９、９Ａ、及び１０に示す。
【００３９】
キャリア３４の雄型差し込み部３８は、上述のようにバイオネット接続の雄型部分をもたらす。雄型差し込み部３８には、一対の突出部６０がある。これらの突出部は、電池ケースにある雌型差し込み構成要素６４内の当該スロット６２に収容及び保持される構成にする。各スロット６２には、傾斜壁６６、６８（図９Ａ）のある引き込み線を搭載して、電池ケースがグリップチューブに対して回転しながら、各突出部を当該スロットに誘導させる。デテント領域６５（図９Ａ）を各スロット６２の末端部に設ける。デテント領域６５（図９Ｂ）内で突出部を嵌め合わせると、グリップチューブに電池ケースがツイストオンによって確実に機械的接続するようになる。
【００４０】
キャリア３４及び雌型差し込み構成要素６４は両部品とも金属製であり、従って、突出部とスロットが嵌め合うことによりキャリアと雌型差し込み構成要素の間に電気接続がもたらされる。言い換えると、キャリアは機器の回路と電気接続し、雌型差し込み構成要素と電気連通する電池バネ７０（図９Ａ）と電池の負端子が接触し、このようなバネ部材と電気部品の接触により、最終的に電池と機器の回路との間の接触をもたらす。
【００４１】
図１２に示したように、電池バネ７０はバネ保持部７２上に取り付け、次に、電池ケース１６の内壁にしっかりと取り付ける。雌型差し込み構成要素６４は、電池ケース１６内で軸方向前後に自由に動く。停止位置において、雌型差し込み構成要素は、差し込みバネ７４により、電池ケースの基部に対して傾く。差し込みバネ７４は、バネ保持部７２にも取り付け、従ってその上部末端は、電池ケース内壁に対してしっかりと取り付けられる。電池ケースをグリップチューブ上でひねると、雄型差し込み構成要素上の突出部と雌型差し込み構成要素上の角度付きスロットが嵌め合うことにより、雌型差し込み構成要素を前方に引き出し、差し込みバネ７４を圧縮する。次いで差し込みバネのバイアス力を受けて、雌型差し込み構成要素が雄型差し込み構成要素を引っ張る。つまりグリップチューブが電池ケースの方へ移動する。その結果、ハンドルの２つの部分の間の任意の間隙が、バネ力により閉じて、Ｏリングが圧縮されて防水の封止嵌合を提供する。嵌合が完了すると、突出部６０は、雌型差し込みスロット６２の当該Ｖ型デテント領域６５内に収容される（図９Ｂ）。これは、カチッという音により明確にユーザーに伝わり、電池ケースが正しく嵌合したことを示す。このカチッという音は、差し込みバネの動きによるものであり、これにより突出部をＶ型デテント領域６５に素早く滑らせる。
【００４２】
電池ケースとグリップチューブとのこの弾力的な嵌合が、電池ケースとグリップチューブとの間の線上の継目のない線、及び、許容度などの他の形状の問題を補う。差し込みバネによる力は、雄型差し込み構成要素と雌型差し込み構成要素の間にしっかりと確実な電気接続ももたらす。
【００４３】
バネ上げ雌型差し込み構成要素は、電池ケースの取り付け及び取り外しの際、雄型差し込み構成要素と雌型差し込み構成要素に働く力も制限する。グリップチューブと電池ケースが互いに接触した後、ユーザーが電池ケースを回転し続けた場合、雌型差し込み構成要素が電池ケース内でわずかに前方に移動することができ、雄型差し込み構成要素の突出部によって加わる力を緩和する。従って、規定の区域内で、力が比較的一定に維持される。この特徴により、ユーザーが手荒に取り扱うことによる部品の又は大部分の破損を防ぐことができ、すなわちアセンブリ許容度である。
【００４４】
上述の弾力的な嵌合を達成するためには、一般に、差し込みバネのバネ力が電池バネのバネ力を超えることが重要である。一般に、好ましい２本のバネの相対力は、以下のように計算できる。
１．バネによる接触力（Ｆｂａｔｍｉｎ）が電池の最短の長さに十分であるように電池バネを設計する。
２．電池の最長の長さに必要な電池バネ力（Ｆｂａｔｍａｘ）を計算する。
３．電池ケースをグリップチューブの方に押し、Ｏリングの摩擦力を超えるのに必要な最大力（Ｆｐｍａｘ）を計算する。
４．電池ケースをグリップチューブの方に押し、閉じた状態となる最小閉鎖力（Ｆｃｌｍｉｎ）を決定する。
５．差し込みバネによるかかる力を、Ｆｂａｙｏｎｅｔ＝Ｆｂａｔｍａｘ＋Ｆｐｍａｘ＋Ｆｃｌｍｉｎに従って計算する。
一例として、いくつかの実施においては、Ｆｂａｔｍａｘ＝４Ｎ、Ｆｐｍａｘ＝２Ｎ、Ｆｃｌｍｉｎ＝２Ｎであるため、Ｆｂａｙｏｎｅｔ＝８Ｎである。
【００４５】
電池クランプ
上述したように、キャリア３４には一対の電池クランプフィンガ３６が備わっている（図６、１０）。これらのフィンガは、電池１８に小さいクランプ力を加える２本のバネとして働く（図３）。このクランプ力は、電池がグリップチューブの内壁やその他の部品に当たりながらガタつくのを防ぐほど十分に大きく、使用中にカミソリが発する雑音を低減させる。好ましくはクランプ力は、電池ケースを外しグリップチューブを逆さにした時に、電池の落下を防ぐのに十分な力でもある。一方、クランプ力は、ユーザーが電池を簡単に取り外して交換できるほど十分小さくなければならない。雄型差し込み構成要素３８には開口領域８０（図４）が備わっており、開口領域８０を通じてユーザーは電池をつかんで取り外すことができる。
【００４６】
バネフィンガの寸法とそのバネ力は、一般に、バネフィンガが上述した最小サイズの電池の重量を保持し、カミソリを垂直に持った際に落下を防ぐことができるように、また、最大サイズの電池をグリップチューブから容易に取り外しできるように調節する。これらの制限に対応するために、一部の実施態様では、電池フォイル間の摩擦係数が約０．１５〜０．３０、フィンガ１本のバネ力が、最小サイズの電池（例えば、直径９．５ｍｍ）を挿入した場合は約０．５Ｎ、最大サイズの電池（例えば、直径１０．５ｍｍ）を挿入した場合は約２．５Ｎ未満であることが好ましい。一般にバネフィンガは、カミソリを電池開口部を下向きにして保持した時に最小サイズの電池が落下せず、最大サイズの電池が容易に取り出せる場合に上述の機能を発揮する。
【００４７】
図６及び７Ｃを参照すると、例えば、プラスチックフォイル製の薄い絶縁スリーブ４０が、振動音を更に抑制し、電池面が破損した場合の短絡に対する安全装置を提供する。図７Ｃに示したように、スリーブ４０はテープ４２で電池クランプフィンガに固定されており、電池の取り外しと交換の際に、スリーブを所定の位置に保持する。絶縁スリーブ用の好適な材料は、厚さ０．０６ｍｍのポリエチレンテレフタレート（ＰＥＴ）フィルムである。
【００４８】
通気性電池室
ある条件下では、電池式製品の内部に水素を蓄積させることができる。水素は、電池から放出させても、電解によって電池の外に生成させてもよい。この水素の大気中の酸素とが混合して、可燃性のガスが形成され、モータからの火花又は装置のスイッチによって引火する可能性がある。従って、防水性を維持しつつ、水素をカミソリハンドルから排気しなくてはならない。
【００４９】
図１３を参照すると、通気口９０が電池ケース１６内に備わっている。気体透過性であるが液体不透過性のミクロポア膜９２が電池ケース１６に溶接されており、通気口９０を覆っている。好適な膜材料は、ゴア（GORE）より市販されているポリテトラフルオロエチレン（ＰＴＦＥ）である。好ましい膜の厚さは約０．２ｍｍである。一般に膜は、耐水性が少なくとも７０ｋＰａ、１０ｋＰａ（１００ｍｂａｒ）の超過気圧における空気透過率が少なくとも１２Ｌ／ｈｒ／ｃｍ２であることが好ましい。
【００５０】
ミクロポア膜の利点は、膜の内外両側における水素分圧の差異により、拡散により水素を通気することである。通気をもたらすために、カミソリハンドル内の総圧力を上げる必要がない。
【００５１】
美的観点から、通気口と膜が見えることは、ユーザーにとって望ましくない。更に、膜が露呈している場合、膜孔の詰まり、及び／又は、膜の損傷や喪失の危険性がある。膜を保護するために、膜／通気領域の上にカバー９４を、例えば接着により電池ケースに取り付ける。カバー９４の下部から気体を排出できるように、カバーの内側表面と電池ケース１６の外側表面９８の間に、開口領域を設ける。図示した実施態様では、複数のリブ９６が、電池ケース上に通気口９０に隣接して設けられており、カバーと電池ケース間に空気チャネルを作る。しかし、通気用の間隙を作るために使用可能な他の構造を所望する場合、例えば、カバー及び／又はグリップチューブに、単一のチャネルを形成させるへこんだ溝部を搭載して、リブを省いてもよい。
【００５２】
空気チャネルの高さ及び幅を選択し、通気安全度を定める。ある実施例（図示なし）では、通気口の両側に１つずつチャネルを搭載することができ、各チャネルは高さ０．１５ｍｍ、幅１．１ｍｍである。
【００５３】
カバー９４を装飾的にしてもよい。例えば、カバーにはロゴやその他の装飾物を搭載してもよい。カバー９４によって、触知性つかみ面やその他人間工学的特徴を提供してもよい。
【００５４】
電子品
可変速度制御
電気カミソリは、身体の異なる位置において異なるタイプの毛髪を剃るために用いられることが多い。これらの毛髪性質は、明らかに異なっている。例えば、頬髭は、足の毛よりも太い傾向がある。また、これらの毛髪は、皮膚から異なる角度で突出している。例えば、不精ひげは、皮膚に対して直角であるのが多いのに対し、足の毛は、どちらかといえば水平に横たわっている。
【００５５】
これら毛髪の剃りやすさは、一つには、カートリッジの振動数による。これら毛髪の性質が異なるため、その結果として、異なるタイプの毛髪には、異なる振動数が最適の場合がある。従って、ユーザーに対し、この振動数を調節する方法を提供することが有用である。
【００５６】
図１４Ａに示したように、剃毛カートリッジの振動数は、制御回路１０５の調節下でデューティーサイクルを有するパルス幅変調器３０１により制御する。本明細書で使用する時、「デューティーサイクル」は、パルスの時間範囲とパルスとの間の休止時間範囲の間の比率を意味する。従って、低いデューティーサイクルとは、パルス間に長い待機時間を伴う短いパルスを特徴とし、一方高いデューティーサイクルとは、パルス間に短い待機時間を伴う長いパルスを特徴とする。デューティーサイクルを変えると、引き続き剃毛カートリッジの振動数を決定するモータであるモータ３０６の速度が変わる。
【００５７】
制御回路１０５は、マイクロコントローラ、又はその他のマイクロプロセッサ系システムに実装可能である。制御回路は、特定用途向け集積回路（「ＡＳＩＣ」）で、又は、フィールドプログラマブルゲートアレー（「ＦＰＧＡ」）としても実装可能である。
【００５８】
モータ３０６は、剃毛カートリッジの動きをもたらす任意のエネルギー消費機器とすることができる。モータ３０６の１つの実施態様には、小型固定子、及び剃毛カートリッジに連結される回転子が備わっている。モータ３０６のその他の実施態様には、剃毛カートリッジに連結されている圧電素子が備わっている。もしくは、モータ３０６を、振動磁界により剃毛カートリッジに磁気的に連結される機器として実施することができる。
【００５９】
可変速度制御を行うカミソリでは、制御回路１０５は、速度制御スイッチ３０４から入力された速度制御信号３０２を受信する。速度制御信号３０２に応じて、制御回路１０５は、パルス幅変調器３０１のデューティーサイクルを変化させる。これは、言い換えると、モータ速度を変化させる。したがって、パルス幅変調器３０１は速度制御装置としてとらえることができる。
【００６０】
速度制御スイッチ３０４は様々な方法で実施可能である。例えば、速度制御スイッチを連続的に動かすことができる。この場合ユーザーは、速度を連続体から選択できる。もしくは、速度制御スイッチ３０４に、ユーザーが一連の所定のモータ速度から選択できるように、不連続性の停止位置を設けることができる。
【００６１】
速度制御スイッチ３０４は、様々な形状をとることができる。例えば、スイッチ３０４は、連続的に、又は不連続性の段階間を動くつまみ、又は滑り子とすることができる。スイッチ３０４は、各ボタンに異なる速度が割り当てられているボタン群とすることもできる。
【００６２】
もしくは、スイッチ３０４は、一方に速度増加、他方に速度減少が割り当てられている一対のボタンとすることもできる。もしくは、スイッチ３０４は、押すことで連続的又は不連続的に速度を周期的に繰り返す単一のボタンとすることもできる。
【００６３】
他の種類のスイッチ３０４は、ばね上げ引き金である。この種のスイッチは、チェーンソーの速度を引き金を強く握ることで連続的に変更可能であるのと同じ方法で、剃毛中、ユーザーによる連続的な振動数変更を可能にする。
【００６４】
制御回路１０５を適切にプログラミングすることにより、作動ボタン２２を押すことで速度制御スイッチ３０４としても使用可能となる。例えば、制御回路１０５をプログラムし、作動ボタン２２を２回押すこと、又は長押しすることをモータ速度変更のコマンドとしてみなすことができる。
【００６５】
利用可能な速度の中には、カミソリの洗浄に最適化した速度がある。このような速度の例は最高振動数であり、制御回路１０５を可能な限り高いデューティーサイクルで動かすことにより実現する。あるいは、制御回路１０５を洗浄モードで操作することができ、洗浄モードでは、モータ３０６で様々な振動数を掃引させる。これにより、モータ３０６が、ブレード、カートリッジ、及び剃られた頬髭の断片などの任意の汚染性粒子と関連する異なる機械的共鳴振動数を刺激することができる。洗浄モードは、振動数域全体の連続的掃引として、又は段階的掃引として実施可能であり、制御回路１０５が、モータ３０６をいくつかの別個の振動数で段階的に進めさせ、そのような各振動数において瞬間的に停止する。
【００６６】
場合によっては、カミソリが、１つ以上の好ましい振動数を記憶できることが有用である。これは図１４Ｂに示したように、制御回路１０５と連通するメモリを提供することによって実現する。の特徴を用いるため、別個の制御方法、又は、所定の順序に従って作動ボタン２２を押すことにより、ユーザーは速度を選択し、メモリ信号を送信させる。次いでユーザーは、再び別個の制御方法、又は、所定の順序に従って作動ボタン２２を押すことにより、この記憶させた速度を必要な時に呼び出す。
【００６７】
図１４Ａ〜１４Ｂに示したように、カミソリは、作動ボタン２２が、パルス幅変調器３０１を動かす制御回路１０５を介して、モータ３０６を間接的に制御する間接的スイッチシステムを特徴としている。従って、スイッチの状態が直接モータ３０６の状態を記憶する単なる機械的スイッチシステムとは異なり、間接的スイッチシステムは、制御回路１０５内でモータ３０６の状態を記憶する。
【００６８】
作動ボタン２２が、モータ３０６の状態を機械的に記憶する必要がなくなるため、間接的スイッチシステムは、作動ボタン２２の選択と配置においてより高い柔軟性をもたらす。例えば、本明細書に記載するような間接的スイッチシステム付きカミソリに、明白な触知性反応とより小さい動作範囲との利点を兼ね備える人間工学的ボタンを使用できる。このような動作範囲が小さいボタンは、水分の浸入に対する封止もより容易である。
【００６９】
間接的スイッチシステムのその他の利点は、作動パターンを解明し、このパターンに基づいてユーザーの目的を推測するように、制御回路１０５をプログラムできることである。本件は、モータ３０６の速度と関連させながらすでに上述してある。しかし、作動ボタン２２の異常操作を検知し取り消すように、制御回路１０５をプログラムすることも可能である。従って、例えば、剃毛中に無意識に起こる場合がある、作動ボタン２２の異常な長押しなどは取り消される。この特徴により、モータ３０６の電源が偶発的に停止することによる苛立たしさを回避する。
【００７０】
電圧制御装置
カミソリの効率は、部分的には電池３１６から供給される電圧によって決まる。従来の電動式湿式カミソリでは、最適な電圧又は電圧範囲がある。電池電圧が最適な電圧範囲を外れると、カミソリの効率が損なわれる。
【００７１】
この問題を克服するため、本カミソリは、図１４Ｃに示した間接的電力供給装置を特徴とし、電池３１６の電圧を、モータ３０６で実際にみられる電圧から切り離している。モータ３０６で実際にみられる電圧は、制御回路１０５により制御され、この回路は電池電圧を監視し、電池電圧の測定値に応じ、最終的に電池電圧の変化を代償して様々な機器を制御する。これにより、モータ３０６でみられるような本質的に一定の電圧をもたらす。
【００７２】
本明細書に記載するモータ３０６でみられる電圧制御方法及びシステムは、任意のエネルギー消費負荷に応用できる。従って、図１４Ｃは、一般的な負荷３０６に関する。
【００７３】
ある１つの実施形態では、モータ３０６は、通常の電池電圧より低い操作電圧で操作するよう設計されている。その結果、新しい電池３１６が装着された場合は電池電圧が高すぎ、低減する必要がある。低減の程度は、電池３１６を消費するにつれて低くなり、最終的には低減の必要がなくなる。
【００７４】
電圧の低減は、電池３１６と電気連通する電圧モニタ３１２を設けることにより容易に実現する。電圧モニタ３１２は、測定した電池電圧を制御回路１０５に出力する。それに応じて、制御回路１０５がパルス幅変調器３０１のデューティーサイクルを変更し、モータ３０６でみられる一定電圧を維持する。例えば、電池電圧が１．５ボルトと測定され、モータ３０６が１ボルトで操作するよう設計されている場合、制御回路１０５はデューティーサイクル率を７５％に設定する。これにより、平均してモータ操作電圧と一致する、パルス幅変調器３０１からの出力電圧がもたらされる。
【００７５】
多くの場合、デューティーサイクルは電池電圧の非線形関数である。この場合、制御回路１０５は、非線形関数を用いて計算を実行するか、又は参照テーブルを用いて正確なデューティーサイクルを決定するように構成する。あるいは、制御回路１０５は、パルス幅変調器３０１の出力より電圧の測定値を得て、この測定値を出力電圧のフィードバック制御に用いることもできる。
【００７６】
別の実施形態では、モータ３０６は、通常の電池電圧より高い操作電圧で操作するよう設計されている。この場合、電池電圧の増加量は、電池３１６を消費するにつれて徐々に上がる。この第２の実施形態は、上述の電圧モニタ３１２と、制御回路１０５により制御される電圧変換装置３１４を特徴とする。好適な電圧変換装置３１４の詳細を以下に記載する。
【００７７】
第３の実施形態では、１つの機器で上述の実施形態の両方を組み合わせている。この場合、制御回路１０５は、電池電圧の測定値がモータ操作電圧を超える時、出力電圧を低減することから始める。次いで、測定した電池電圧がモータ操作電圧を下回った時、制御回路１０５がデューティーサイクルを修正し、電圧変換装置３１２の制御を始める。
【００７８】
従来の電気カミソリでは、電池３１６を消費するにつれて、モータ速度が徐々に減少する。この緩やかな減少により、ユーザーに、電池３１６の交換を十分に予告する。しかし、間接的電力供給装置を備えている電気カミソリでは、そのような予告がない。電池電圧が下方閾値を下回ると、モータ速度が、恐らくは剃毛中であっても突然減少する。
【００７９】
この不便さを防ぐため、制御回路１０５は、電圧モニタ３１２からの情報に基づいて、低電池信号を低電圧表示器４１４に提供する。低電圧表示器４１４は、ＬＥＤなど、単一状態の出力機器とすることができ、電圧が閾値を下回った際に点灯する、又は逆に、電圧が閾値を超える時は点灯しており、電圧が閾値を下回った際に消える。もしくは、低電圧表示器４１４は、液晶ディスプレイなど、複数状態の機器とすることができ、電池３１６の状態を示す図示的又は数値的な表示を提供する。
【００８０】
電圧モニタ３１２を、制御回路１０５とともに、電池電圧が深放電閾値を下回った際に、カミソリの動きを完全に止めるために用いることもできる。この特徴により、電池３１６の深放電に起因する場合がある電池漏れによる、カミソリ破損の可能性を下げる。
【００８１】
図１４Ｄに示す好適な電圧変換装置３１２は、発振器を制御するスイッチＳ１を特徴とする。このスイッチは、作動ボタン２２と連結している。従って、作動ボタン２２をユーザーが押すと、発振器の電源が入る。発振器の出力は、トランジスタＴ１のゲートと接続され、発振器の制御下でスイッチとして機能する。電池３１６は、電池電圧ＶＢＡＴを供給する。
【００８２】
トランジスタＴ１が導電状態である時、電池３１６からインダクタＬ１へ電流が流れ、次いでインダクタＬ１にエネルギーを蓄積する。トランジスタが非導電状態である時、電流はインダクタＬ１を経由して流れ続け、この場合はダイオードＤ１へ流れる。これは、ダイオードＤ１を経由し、コンデンサＣ１内への電荷の移動をもたらす。ダイオードＤ１を使用することで、トランジスタＴ１を介するコンデンサＣ１のアースへの放電を防ぐ。発振器は、この様に、選択的にコンデンサＣ１内へ電荷を蓄積させ、それにより電圧を上げることにより、コンデンサＣ１内の電圧を制御する。
【００８３】
図１４Ｄに示す回路では、発振器は、時変電流をインダクタＬ１内に存在させる。その結果、発振器は、インダクタＬ１内に電圧を誘導する。この誘導電圧は、続いて電池電圧に付加され、その結果生じる合計電圧がコンデンサＣ１内に存在する。これにより、コンデンサＣ１における出力電圧が、電池のみから供給される電圧を超える結果となる。
【００８４】
コンデンサ電圧は、本質的に電圧変換装置３１２の出力電圧であり、制御回路１０５とパルス幅変調器３０１の両方につながり、最終的にモータ３０６を駆動する。コンデンサ電圧が特定の閾値に達した場合、制御回路１０５は、発振器につながる発振器制御信号「ｏｓｃ＿ｃｔｒ」を出力する。制御回路１０５は、発振器の電源を選択的に入れる及び切るために発振器制御信号を用い、それにより、コンデンサ電圧自身からのフィードバックに応じてコンデンサ電圧を調節する。このフィードバック制御システムの設定値、すなわちコンデンサＣ１内の電圧は、モータ３０６でみられる一定操作電圧に設定する。
【００８５】
発振器とアース間に配置されるレジスタＲ１は、減結合回路の一部として、発振器の制御をスイッチＳ１から制御回路１０５へ選択的に移動させる機能がある。制御回路の初期化前に、発振器制御信号を伝えるポート（「発振器制御ポート」）を、高インピーダンス入力ポートに設定する。その結果、発振器の運転を制御するのはスイッチＳ１である。この場合レジスタＲ１は、発振器制御ポートからアースへの短絡を防ぐ。初期化後、発振器制御ポートは、低インピーダンス出力ポートとなる。
【００８６】
最終的にはユーザーは剃毛を終え、その場合、モータ３０６の電源を切ろうとする。制御回路１０５が発振器を制御している状態では、電池３１６を取り外す以外にカミソリの電源を切る方法がない。この問題を避けるためには、外部スイッチＳ１の状態を周期的に確認することが有用である。これは、レジスタＲ１内の電圧のサンプリングのため、発振器制御ポートが周期的に高インピーダンス入力ポートとなるように、制御回路１０５を設定することにより達成される。
【００８７】
ある種のスイッチでは、スイッチの状態が、ユーザーの目的を示す。例えば、閉鎖位置のスイッチＳ１は、ユーザーがモータ３０６の電源を入れるのを望んでいることを示し、解放位置のスイッチＳ１は、ユーザーがモータ３０６の電源を切るのを望んでいることを示す。従って、電圧がサンプリングされる場合、ユーザーがスイッチＳ１を解放したことを示し、次いで、発振器制御ポートが再び低インピーダンス出力ポートになる時、制御回路１０５が発振器制御信号で発振器の電源を落とさせ、それによりモータ３０６両方の電源を落とす。このようにして、制御回路１０５はそれ自体の電源も停止させる。
【００８８】
他のタイプのスイッチでは、スイッチＳ１の閉鎖は、ユーザーがモータの状態をオンからオフへ、またその逆へ変更するのを望んでいることのみを示す。このようなスイッチを使用する実施形態では、レジスタＲ１内の電圧は、ユーザーがスイッチＳ１を作動させた場合に短時間変化するのみである。その結果、制御回路１０５は、レジスタＲ１内の電圧を、ユーザーによるスイッチＳ１の瞬時的な作動を確実にとらえるのに十分な頻度でサンプリングさせる。
【００８９】
図１４Ｅは、発振器制御信号、発振器出力、およびコンデンサ電圧間の対話を示す。コンデンサ電圧が下方閾値を下回った場合、発振器制御信号の電源が入り、それにより発振器の電源が入る。これにより、コンデンサＣ１内に電荷が更に蓄積され、言い換えると、コンデンサ電圧が上がる。コンデンサ電圧が上方閾値に到達すると、発振器制御信号の電源が切れ、それにより発振器の電源が切れる。電池３１６からコンデンサＣ１に蓄積される電荷がないため、蓄積電荷が消失し始め、コンデンサ電圧が減少し始める。再び下方閾値に至るまで続き、下方閾値において、上記サイクルが繰り返される。
【００９０】
図１４Ｆに示す電圧変換装置３１２のその他の実施形態は、ダイオードＤ１を、ＲＣ回路（Ｒ２及びＣ２）により制御されるゲートを有する別のトランジスタＴ２に換えた以外は、図１４Ｄに示される接続と同一である。この実施形態では、発振器が停止している場合、追加されたトランジスタＴ２のエミッタとベースとの間の電圧（ＶＢＥ２）はゼロである。その結果、追加されたトランジスタＴ２を流れる電流は停止する。これは、コンデンサＣ１から放電される電荷に代えるための、コンデンサＣ１に供給される電荷がないことを意味する。発振器の電源が入り、発振器の振動数がＲＣ回路のカットオフ振動数を超える場合、エミッタとベースとの間の電圧ＶＢＥ２は、電池電圧ＶＢＡＴの約半分となる。その結果、追加されたトランジスタＴ２は、ダイオードとして機能し、コンデンサＣ１のアースへの放電を防ぎつつ、コンデンサＣ１に電流を流す。
【００９１】
図１４Ｆの回路におけるその他の注目すべき特徴は、パルス幅変調器３０１が、電池３１６から直接電圧を供給されることである。その結果、パルス幅変調器３０１の出力電圧は、電池電圧より高くなり得ない。従って、図１４Ｆでは、モータ３０６は電圧を下げて供給され、一方コンデンサＣ１内の電圧は上げられ、制御回路１０５に電力を供給するために用いられる。しかし、図１４Ｆの回路は、図１４Ｄに示したように、コンデンサＣ１内の電圧からの入力を行うパルス幅変調器３１６をも特徴とすることができる。
【００９２】
図１４Ｇには、図１４Ｆに示す種類の電圧変換装置３１２を駆動する回路をより詳細に示す。発振器を、制御回路１０５と関連させ、より詳細に示す。しかし図１４Ｇの回路は、その他の点では、図１４Ｆに示される改変した図１４Ｄの接続と本質的に同一である。
【００９３】
本明細書に記載するように、電圧制御システムは、モータ３０６に一定操作電圧を提供する。しかし、電気カミソリに、モータ以外の負荷を含めてもよい。これら任意又は全ての負荷も同様に、本明細書で開示する電圧制御システムで提供されるように、一定操作電圧の恩恵を受けると思われる。
【００９４】
一定操作電圧の恩恵を受ける１つの負荷は、制御回路１０５そのものである。市販の論理回路１０５は、一般には、従来の電池が供給できる１．５ボルトよりも高い電圧で操作するよう設計されている。それゆえ、制御回路に電圧を上げて供給する電圧制御システムは、電池追加の必要性がなく有用である。
【００９５】
カートリッジ寿命の検出
日常的にたくさんの頬髭を剃っているうちに、カミソリカートリッジのブレードは、必ず切れなくなってくる。切れ味の悪さを、目視で発見することは難しい。一般に、切れないブレードは、手遅れになってから発見される。多くの場合、ユーザーがブレードを使用するには切れ味が悪すぎると認識するまでに、既に不快な剃毛を体験し始めている。
【００９６】
カミソリでの剃毛でより不快な点のうち、最後に発生するのが、この切れないブレードで剃毛することである。しかし、剃毛カートリッジの費用を考えると、多くのユーザーが、早い段階でのカートリッジ交換に気乗りがしないのは理解できる。
【００９７】
カートリッジ交換時期のユーザーによる決定を支援するため、図１５Ａに示すような、どの程度ブレードを使用したかを示す回数を保持するカウンタ１０２を備えているブレード寿命表示器１００をカミソリに搭載する。カウンタは、ハンドル１０上の作動ボタン２２、及びカミソリヘッド１２の先端に取り付けられているカートリッジ検出器１０４の双方と連通する。好適なカウンタ１０２は、制御回路１０５に実装可能である。
【００９８】
カートリッジ検出器１０４を、様々な方法で実施可能である。例えば、カートリッジ検出器１０４は、カートリッジ上の対応する端子と嵌め合う形状となっている端子を含んでもよい。
【００９９】
カミソリカートリッジには、１つ、２つ、又は３つ以上のブレードを搭載することができる。全体を通じて、単一のブレードに関して説明する。しかし、このブレードはカートリッジ内の任意のブレードとすることができ、全てのブレードが消耗されることが理解される。
【０１００】
操作において、ユーザーがカートリッジを交換する場合、カートリッジ検出器１０４はリセット信号をカウンタ１０２に送る。あるいは、例えば、ユーザーがリセットボタンを押すか、又はユーザーが所定のパターンに従って作動ボタン押すことにより、リセット信号を手動で発生させることができる。このリセット信号により、カウンタ１０２の回数をリセットさせる。
【０１０１】
回数をリセットする以外に、カートリッジ検出能を応用して用いることができる。例えば、カートリッジ検出器１０４を、正しいカートリッジが用いられているかどうか、又はカートリッジが間違って取り付けられたかどうかを確認するために用いることができる。制御回路１０５に接続すると、カートリッジ検出器１０４は、条件が整うまでモータを使えなくすることができる。
【０１０２】
ユーザーが剃毛を行うと、カウンタ１０２は、ブレードに対する更なる消耗を反映し、回数を変更するカウンタ１０２が回数状態を変更可能とするには、さまざまな方法がある。
【０１０３】
図１５Ａに示した実施態様では、カウンタ１０２は、モータの電源が入る度に回数を増加させる。剃毛ごとの時間の違いが少ないユーザーにとっては、ブレードの使用を見積もるための、理にかなった正確な根拠を提供する。
【０１０４】
一部のケースでは、モータの電源が入った回数では、ブレードの残存寿命を誤って見積もる場合がある。このような過りは、例えば、カミソリを「借りて」本人の足を剃る場合などで起こる。これにより、モータを一度作動させただけで、相当広範囲の剃毛を行ってしまうことになる。
【０１０５】
上述の問題点は、図１５Ｂに示す別の実施で克服され、ここでは作動ボタン２２とカウンタ１０２が、タイマー１０６と連通する。この場合作動ボタン２２は、制御回路１０５とタイマー１０６の両方に信号を送る。その結果、カウンタ１０２は、カートリッジを最後に交換してからの累積モータ作動時間を示す回数を保持する。
【０１０６】
累積モータ作動時間は、改善されたブレード消耗の指標を提供する。しかし一般に、モータが作動している全ての時間、ブレードが皮膚に接触しているわけではない。従って、モータ作動時間に基づいて推測すると、ブレードの消耗を多く見積もらざるをえない。さらに、例えば、カミソリがカバンの中で押された場合など、モータスイッチの電源が間違って入る場合がある。このような状況下では、電池が消耗するだけではなく、ブレードが全く頬髭を剃っていなくても、カウンタ１０２がブレードの消耗を示す。
【０１０７】
図１５Ｃに示した別の実施態様には、毛剃り動作検出器１０８と連通するカウンタ１０２が備わっている。この場合、作動ボタン２２は、毛剃り動作検出器１０８と制御回路１０５の両方に信号を送る。従って、モータの電源を入れると、毛剃り動作検出器１０８の電源も入る。
【０１０８】
毛剃り動作検出器１０８は、ブレードと皮膚の接触を検出し、接触を検出するとカウンタ１０２へ信号を送る。このようにして、毛剃り動作検出器１０８は、ブレードが実際に使用中であるという表示をカウンタ１０２に提供する。図１５Ｃの実施態様では、カウンタ１０２は、カートリッジが最後に交換されてからのブレードが受けた累積剃毛回数を示す回数を保持する。その結果、カウンタ１０２は、モータが回転している間、ブレードが実際に使用されていない時間を無視する。
【０１０９】
毛剃り動作検出器１０８に対する様々な実施態様がある。一部の実施態様では、皮膚上又は皮膚付近での電気的特性と、自由空間での電気的特性の変化に依存する。例えば、毛剃り動作検出器１０８は、皮膚への接触と関係する、抵抗、インダクタンス、またはキャパシタンスの変化を測定することにより、皮膚接触を検出できる。他の実施では、皮膚上で振動するブレードと、自由空間で振動するブレードの音響特性の違いに依存する。これらの実施態様では、毛剃り動作検出器１０８は、２つの特性を区別するよう構成されている信号処理装置機器に接続しているマイクロフォンを搭載することができる。さらにその他の実施態様では、ブレードが皮膚に触れた時のモータ作動特性の変化に依存する。例えば、皮膚接触と関連して負荷が増加することから、モータの電流要求量が増加し、モータ速度が減少する場合がある。これらの実施態様には、電流計、またはその他電流表示機器、及び／又は速度センサが備わっている。
【０１１０】
それにもかかわらず、毛剃り動作回数に頼る推測では、全ての動作が同じ長さではないため、不正確になる場合がある。例えば、足を剃ると、口髭を剃るために必要な数回の動作よりも、ブレードを消耗する場合がある。しかし、毛剃り動作検出器１０８は、長さが異なる毛剃り動作の違いを示すことができない。
【０１１１】
図１５Ｄに示した別の実施態様では、作動ボタン２２と連通する毛剃り動作検出器１０８と、タイマー１０６の両方が備わっている。タイマー１０６は、カウンタ１０２と連通する。再び、作動ボタンは、毛剃り動作検出器１０８と制御回路１０５の両方に信号を送る。毛剃り動作検出器１０８は、毛剃り動作の開始および終了それぞれの検出に応じて、タイマー１０６を停止及び始動する。この実施態様は、カウンタ１０２が、カートリッジを最後に交換してからカートリッジが皮膚に接触していた累積時間（「毛剃り動作時間」とする）を示す回数を保持する以外は、図１５Ｃと同一である。
【０１１２】
１５Ｄに関連させながら記載したように、タイマー１０６と連動する毛剃り動作検出器１０８は、ブレードの消耗を示す情報を提供する以外にも応用される。例えば、モータの作動中長時間にわたって毛剃り動作がないことで、誤ってモータの電源が入ったか、又は、入れっぱなしにしたことを示すことができる。これは、カミソリがカバンの中で押された場合に発生しうる。もしくは、剃毛後、うっかりモータの電源を消し忘れたことにより起こる場合もある。
【０１１３】
図１５Ａ〜１５Ｄの実施形態では、カウンタ１０２は、交換表示器１１０と連通する。ブレード消耗を示す回数に至った場合、カウンタ１０２は、交換表示器１１０に交換シグナルを送る。それに応じて、交換表示器１１０は、ブレードが消耗したことを示す視覚的、聴覚的、または触覚的な合図をユーザーに提供する。代表的な合図は、ＬＥＤ、ブザー音、若しくは、モータ速度を変える調速器、又は、別の方法として、モータの作動を断続的にするなどの変則性を導入することにより、提供させる。
【０１１４】
カウンタ１０２には、ブレードの残存寿命の推定を示す残存寿命信号を提供する任意の残存寿命出力が備わっている。推定残存寿命は、使用回数と予想寿命を比較することにより得られる。残存寿命信号は、残存寿命表示器１１２に提供する。好適な残存寿命表示器１１２は、消耗信号が消耗表示器を始動する前に残りの予想剃毛回数を示す低電力表示である。あるいは、推定残存寿命は、例えば、推定残存寿命を示す頻度で点滅、又は、所定のパターンにより、いくつかのＬＥＤを選択的に点灯するなどにより、視覚的に提示させる場合がある。
【０１１５】
移動時ロック
場合によっては、誤って、電動湿式カミソリのモータ３０６（または他の負荷）の電源が入る可能性がある。これは、例えば、移動中に他の洗面用具が動き、作動ボタン２２を押す場合に起こりうる。こういうことが起こった場合、モータは、電池が切れるまで電池を使い続ける。
【０１１６】
この問題を防ぐため、カミソリにロックを搭載することができる。このようなロックの一つは、作動ボタン２２それ自体の上の機械的ロック２００である。機械的ロック２００の例は、図１６Ａに示したようなスライドカバーであり、カミソリをしまう時に、作動ボタン２２をカバーする。機械的ロックの他の例は、カミソリそのものよりも、カミソリ用ホルダーに関連するものである。例えば、カミソリをホルダーに収容した際に、作動ボタン２２をカバーする形状となっているロックを構成できる。
【０１１７】
実施態様におけるその他のロックは、電子的なものである。電子的ロックの一例は、図１６Ｂに示した作動ボタン２２（図中「１／０」と表示）からのスイッチ信号２０４と、安全解除回路２０８（図中「安全解除信号源」と表示）からの安全解除信号２０６を受信するロック回路２０２である。ロック回路２０２は、スイッチ信号２０４と安全解除信号２０６の状態に応じて、モータ制御信号２１０を制御回路１０５に出力する。
【０１１８】
安全解除回路２０８は、安全解除信号２０６を用いて、ロック回路２０２の安全解除と安全化を行うと言われている。本明細書で使用する時、作動ボタン２２を押してモータを始動及び停止させる場合、ロック回路２０２が安全解除状態であると考えられる。作動ボタン２２を押してモータの操作ができなかった場合、ロック回路２０２が安全化状態であると考えられる。
【０１１９】
安全解除回路２０８とロック回路２０２には、一般に、それぞれの入力状況の変化に応じて、それぞれの出力状況を変化させるためのデジタル論理回路が備わっている。論理回路自体は、制御回路１０５内に適切に実装されている。しかし、デジタル論理素子は、このような回路を組み込むための簡便な方法を提供するが、同様の機能を実行させるアナログまたは機械的構成要素の使用を除外するものではない。安全解除回路２０８、またはその部分の例を以下に記載する。
【０１２０】
安全解除回路２０８の一例としては、安全解除スイッチが挙げられる。この実施態様では、ユーザーは安全解除スイッチを操作して、安全解除信号２０６の状態を変更する。次いで、ユーザーは作動ボタン２２を押し、モータを始動させる。剃毛後、ユーザーは再び作動ボタン２２を押し、この場合はモータを停止させる。次いで、安全解除スイッチを操作し、ロック回路２０２を安全化する。
【０１２１】
あるいは、安全解除回路２０８は、モータ３０６の電源が切れたことを検知し、自動的にロック回路を安全化するよう構成することができる。この場合、安全解除回路２０８には一般に、モータ３０６の電源が切れたことを示す信号を受信する入力が含まれることになる。
【０１２２】
本明細書で使用する時、「スイッチ」には、論理信号の状態に変化を起こすボタン、レバー、スライドつまみ、パッド、及び、これらの組み合わせが含まれる。スイッチは、物理的な接触により作動させる必要はなく、代わりに、例えば視覚的又は聴覚的に伝わる放射エネルギーにより始動可能である。スイッチを、直接ユーザーが直接操作可能なものにすることができる。このようなスイッチの一例は、作動ボタン２２である。あるいは、例えば、ホルダー内にカミソリを戻すか、又はカートリッジを取り外したり取り付けたりすることによるカミソリの位置変更により、スイッチを操作することができる。
【０１２３】
図１６Ｂで示したように、ロック回路２０２は、概念的に「ＡＮＤ」ゲートとしてとらえることができる。ロック回路を「ＡＮＤ」ゲートとして実装可能であるが、好適な真理値表を有する任意のデジタル論理回路を用いて、ロック回路２０２の安全解除機能を実行することができる。例えば、ロック回路２０２は、作動ボタン２２と直列に安全解除スイッチを置くことで実装可能である。
【０１２４】
別の実施態様では、安全解除回路２０８にはタイマーが備わっている。タイマーの出力により、まず安全解除回路２０８でロック回路２０２を安全解除させる。所定の剃毛時間が経過すると、タイマーは、安全解除回路２０８でロック回路２０２を安全化させ、それによりモータの電源を切る。剃毛時間の長さは、一般的な剃毛時間に一致させる。好適な長さは５〜７分間である。
【０１２５】
この実施態様では、作動ボタン２２を押すと、モータは、作動ボタン２２が再度押されるか、剃毛時間が経過するまで作動する。ユーザーが剃毛のためにより長い剃毛時間を使う場合には、モータの電源が切れ、この場合ユーザーは、作動ボタン２２を再度押してモータを再度始動し、剃毛を終えなくてはならない。これを避けるために、安全解除回路２０８は、ユーザーによる「延長」要求に応じ、既定の剃毛時間を延長させる適応フィードバックループとともに提供することができる。
【０１２６】
安全解除回路２０８にタイマーが備わっている場合、タイマーへのリセット入力は、ロック回路２０２の出力、又は作動ボタン２２へ接続される。このことにより、スイッチ信号２０４の状況変化に応じて、タイマー自体のリセットを可能にする。特に、スイッチ信号２０４がモータ電源を切る場合は常に、タイマーはそれ自体をリセットする。これは、剃毛時間の経過前、又は剃毛時間経過時にユーザーが作動ボタン２２を押す場合に起こりうる。
【０１２７】
別の実施態様では、安全解除回路２０８には、作動ボタン２２、又は、別のデコーダ入力ボタンと接続される入力を備えているデコーダが備わっている。この場合、デコーダ出力に依存する安全解除信号２０６の状態は、所定のパターンで作動ボタン２２を押すこと、又は他の実施においては、デコーダ入力ボタンを操作することにより、ユーザーが手動で制御する。
【０１２８】
例えば、デコーダが作動ボタン２２からの入力を取り込む場合、安全解除信号２０６の状態に変化させることにより、作動ボタン２２を長押しすること、又は、作動ボタン２２を素早く２回押すことに応答するようにデコーダをプログラムしてもよい。あるいは、デコーダが別のデコーダ入力スイッチからの入力を受信する場合、ユーザーは、デコーダ入力スイッチの操作だけすればよい。ユーザーは、作動ボタン２２によるモータ３０６のロック及びロック解除方法を覚える必要がない。
【０１２９】
安全解除信号２０６の状態変更をユーザーに頼る実施態様では、ＬＥＤなどの表示器を提供し、安全解除信号２０６の状態を正常に変更したかどうかをユーザーにフィードバックすることが有用である。
【０１３０】
別の実施態様では、安全解除回路２０８がロック回路２０２を安全化するかを決定することは、カミソリの特性に依存する。例えば、安全解除回路２０８には、剃毛カートリッジの取り付け及び取り外しを検知する接点スイッチを搭載してもよい。カートリッジを取り外すと、安全解除回路２０８がロック回路２０２を安全化する。ああるいは、安全解除回路２０８には、カミソリがホルダー内に収容されたかどうかを検知する接点スイッチを搭載することができる。この場合、カミソリがホルダー内に収容されたことを安全解除回路２０８が検知すると、ロック回路２０２を安全化する。
【０１３１】
カートリッジの存在により安全解除回路２０８が応答する場合では、ユーザーが、ハンドルからカートリッジを取り外すことによって、モータ３０６への偶発的な電源投入を防ぐ。カミソリを正常に動作させるには、ユーザーがハンドルにカートリッジを再度取り付ける。
【０１３２】
ホルダーの存在により安全解除回路２０８が応答する場合では、ユーザーが、ホルダーにモータを収容させることによって、モータへの偶発的な電源投入を回避する。カミソリを正常に動作させるには、ユーザーがカミソリをホルダーから取り出すが、これは常に実施すべきことである。
【０１３３】
本明細書に記載の実施形態ではモータ３０６の操作を制御するが、開示した方法と機器は、任意の負荷による誤ったエネルギー消費を行わず、電池の消耗を防ぐように用いることができる。
【０１３４】
剃毛力測定
毛剃り中、ユーザーは、皮膚に対してブレードを押しつける力を加える。この剃毛力の大きさは、剃毛の質に影響を与える。剃毛力が小さすぎると、頬髭を最適な切断位置にさせる力が十分でなくなる場合がある。力が大きすぎると、過度に皮膚を摩耗してしまう場合がある。顔の輪郭は様々であるから、ユーザーにとって、一定の剃毛力を維持することさえ難しく、まして最適の剃毛力の維持はなおさら難しい。
【０１３５】
この問題点は、図１７Ａ及び１７Ｂに示した剃毛力測定回路４００を備えているカミソリによって解決する。図に示した剃毛力測定回路４００では、電動カミソリにおいては、剃毛力がブレードを動かすモータ３０６にかかる負荷をある程度決定するという事実を利用する。従って、このモータ３０６の操作特性は、剃毛力に応じて変化する。
【０１３６】
図１７Ａに示した剃毛力測定回路４００では、異なる負荷に応じたモータ３０６によって引き出される電流引き込みの変化を利用する。剃毛力が上昇すると、それに応じてモータ３０６が電流をより引き込む。従って、図１７Ａの実施態様は、モータ３０６による電流引き込みの程度を感知する電流センサ４０２を特徴としている。電流センサは、剃毛力信号４０８を制御回路１０５に提供する。
【０１３７】
図１７Ｂに示した剃毛力測定回路では、モータ３０６への異なる負荷によるモータ速度の変化を利用する。剃毛力が上昇すると、モータ速度が減少する。従って、図１７Ｂに示した実施態様は、モータ速度を感知する速度センサ４１０を特徴としている。この速度センサは、剃毛力信号４０８を制御回路１０５に提供する。
【０１３８】
制御回路１０５は剃毛力信号４０８を受信し、剃毛力信号が既知の負荷であることを示す通常力信号と比較する。一般には、既知の負荷としては、自由空間中でどの面にも接触せず振動するカミソリに相当する負荷を選択するあるいは、制御回路１０５は、剃毛力信号４０８と、２種類の既知の負荷（１つは最小剃毛力、もう一方は最大剃毛力）で振動するカミソリに相当する一組の通常力信号とを比較する。
【０１３９】
次いで制御回路１０５は、加わった剃毛力が、剃毛力閾値の上限及び下限で定められる幅から外れるかどうかを判断する。加わった剃毛力が前記幅から外れた場合、制御回路１０５は、補正信号４１２を表示器４１４へ送る。次いで表示器４１４は、補正信号４１２を、可視化、可聴化、又は何らかの触覚刺激を提供するためにユーザーが確認可能な可視的信号へ変換する。
【０１４０】
音響的可観信号として、表示器４１４は、ユーザーに音響信号を提供するスピーカーとすることができる。視覚的可観信号として、表示器４１４は、ユーザーに視覚的信号を提供するＬＥＤとすることができる。触感的可観信号として、モータ３０６自体を表示器４１４として用いる。不適切な剃毛力を感知すると、制御回路１０５は、補正信号４１２をモータ３０６に送り、通常運転を妨害する。例えば、制御回路１０５によって、モータ３０６を断続的にさせるための補正信号４１２を送ってもよい。
【０１４１】
上述のすべてのケースにおいて、ユーザーが加えた剃毛力の修正方法がわかるように、剃毛力が不十分な時の信号と剃毛力が過度の時の信号を変えることができる。
【０１４２】
本発明の多数の実施形態を記載してきた。しかし、本発明の精神及び範囲を逸脱することなく、様々な変更を行ってもよいことは明確であろう。
【０１４３】
例えば、上記カミソリは振動モータを備えており、振動機能を提供するが、加熱など、異なるタイプの電池式機能を提供する場合がある。
【０１４４】
更に、上記実施形態では、ウィンドウを備えている収容部材がグリップチューブの開口部に溶接されているが、必要に応じて、例えばグリップチューブの中に透明膜を成形させることにより、ウィンドウをグリップチューブの中に成形させてもよい。
【０１４５】
一部の実施態様では、異なるタイプの電池ケース取り付け具を使用してもよい。例えば、電池ケースに雄型部分を持たせ、グリップチューブに雌型部分を持たせるなど、電池ケースとグリップチューブの雄型及び雌型部分を逆転させてもよい。別の例として、同時係属の米国特許出願第１１／１１５，８８５号（２００５年４月２７日出願）に記載されている方法を用いて、電池ケースをグリップチューブに取り付けてもよく、この開示のすべては参照することにより本明細書に組み込まれる。例えば、押しボタン又はその他の作動装置により解放されるラッチシステムなど、その他の取り付け方法を一部の実施態様で使用してもよい。
【０１４６】
さらに、一部の実施態様では、カミソリを使い捨て式にしてもよく、この場合、消費者が電池に触る必要がなく、又は触ることが望ましくないため、電池ケースを取り外せないようにグリップチューブに溶接してもよい。使い捨て式の実施態様では、ブレードユニットも、取り外し可能なカートリッジとして提供した場合よりも、カミソリヘッド上にしっかりと取り付けられる。
【０１４７】
例えば、ミクロポア膜よりも封止バルブ部材を用いる通気システムなど、その他の通気方法も使用可能である。このような通気システムは、例えば、米国特許出願第１１／１１５，９３１号（２００５年４月２７日出願）に開示されており、この開示のすべては参照することにより本明細書書に組み込まれる。
【０１４８】
一部の実施態様には、上述した特徴のうちの一部が含まれているが、本明細書に記載した電子構成要素の一部又は全てが含まれていない。例えば、場合によっては、電子スイッチを機械スイッチと入れ替えてもよく、プリント基板を省略してもよい。
【０１４９】
したがって、その他の実施形態は添付の請求項の範囲内にある。
【図面の簡単な説明】
【０１５０】
【図１】ある１つの実施形態によるカミソリハンドルの平面図。
【図１Ａ】図１のカミソリハンドルの断面図。
【図１Ｂ】図１のカミソリハンドルの断面図。
【図２】図１のカミソリハンドルの底面図。
【図３】図１のカミソリハンドルの部分展開図。
【図４】カミソリのグリップチューブから分解させたヘッドチューブの斜視図。
【図５】グリップチューブの側面図。
【図６】グリップチューブ中に含まれている構成要素を示すグリップチューブの展開図。
【図７】グリップチューブ中に含まれている構成要素のアセンブリを示す展開図。
【図７Ａ】グリップチューブ中に含まれている構成要素のアセンブリを示す展開図。
【図７Ｂ】グリップチューブ中に含まれている構成要素のアセンブリを示す展開図。
【図７Ｃ】グリップチューブ中に含まれている構成要素のアセンブリを示す展開図。
【図８】ＬＥＤウィンドウをチューブから分解させ、作動ボタンを省略したグリップチューブの斜視図。
【図８Ａ】ＬＥＤウィンドウを定位置に溶接し、作動ボタンをチューブから分解させたグリップチューブの斜視図。
【図８Ｂ】チューブ上への作動ボタンの組立工程を示しているグリップチューブの一部の拡大斜視図。
【図８Ｃ】チューブ上への作動ボタンの組立工程を示しているグリップチューブの一部の拡大斜視図。
【図８Ｄ】チューブ上への作動ボタンの組立工程を示しているグリップチューブの一部の拡大斜視図。
【図９】図１のカミソリで用いる差し込みアセンブリの斜視図。
【図９Ａ】図９の領域Ａの拡大詳細図。
【図９Ｂ】雄型及び雌型構成要素を嵌め合わせ、差し込みバネと電池バネを圧縮させた差し込みアセンブリの拡大詳細図。
【図１０】図９に示した差し込みアセンブリを図９のアセンブリの位置に対して９０度回転させたものの側面図。
【図１１】差し込みアセンブリの下部と、その下部を収容する電池ケースの展開図。
【図１２】電池ケースの断面図。
【図１３】電池ケースの通気用構成要素の展開図。
【図１４Ａ】速度制御スイッチを有するカミソリを示す図。
【図１４Ｂ】速度制御スイッチを備えているカミソリを示す図。
【図１４Ｃ】間接的電力供給を有するカミソリを示す図。
【図１４Ｄ】間接的電力供給装置を備えているカミソリを示す図。
【図１４Ｅ】制御回路と発振器による信号出力と、そのコンデンサ電圧に対する影響を示す図。
【図１４Ｆ】図１４Ｃの間接的電力供給装置用の別の電圧変換装置を示す図。
【図１４Ｇ】負荷に対し電力を供給する回路を示す図。
【図１５Ａ】ブレード交換後のモータ始動回数を計数するブレード寿命表示器を示す図。
【図１５Ｂ】ブレード交換後のモータ作動時間を累積するブレード寿命表示器を示す図。
【図１５Ｃ】ブレード交換後の毛剃り操作回数を計数するブレード寿命表示器を示す図。
【図１５Ｄ】ブレード交換後の毛剃り操作時間を累積するブレード寿命表示器を示す図。
【図１６Ａ】機械的ロックを示す図。
【図１６Ｂ】ロック信号によってカミソリを安全化させるロック回路を示す図。
【図１７Ａ】モータによって引き出される電流引き込みの変化を感知する、剃毛力測定回路を示す図。
【図１７Ｂ】モータ速度の変化を感知する剃毛力測定回路を示す図。
【図１】
2009506858.tif 000003
【図１Ａ】
2009506858.tif 000004
【図１Ｂ】
2009506858.tif 000005
【図２】
2009506858.tif 000006
【図３】
2009506858.tif 000007
【図４】
2009506858.tif 000008
【図５】
2009506858.tif 000009
【図６】
2009506858.tif 000010
【図７】
2009506858.tif 000011
【図７Ａ】
2009506858.tif 000012
【図７Ｂ】
2009506858.tif 000013
【図７Ｃ】
2009506858.tif 000014
【図８】
2009506858.tif 000015
【図８Ａ】
2009506858.tif 000016
【図８Ｂ】
2009506858.tif 000017
【図８Ｃ】
2009506858.tif 000018
【図８Ｄ】
2009506858.tif 000019
【図９】
2009506858.tif 000020
【図９Ａ】
2009506858.tif 000021
【図９Ｂ】
2009506858.tif 000022
【図１０】
2009506858.tif 000023
【図１１】
2009506858.tif 000024
【図１２】
2009506858.tif 000025
【図１３】
2009506858.tif 000026
【図１４Ａ】
2009506858.tif 000027
【図１４Ｂ】
2009506858.tif 000028
【図１４Ｃ】
2009506858.tif 000029
【図１４Ｄ】
2009506858.tif 000030
【図１４Ｅ】
2009506858.tif 000031
【図１４Ｆ】
2009506858.tif 000032
【図１４Ｇ】
2009506858.tif 000033
【図１５Ａ】
2009506858.tif 000034
【図１５Ｂ】
2009506858.tif 000035
【図１５Ｃ】
2009506858.tif 000036
【図１５Ｄ】
2009506858.tif 000037
【図１６Ａ】
2009506858.tif 000038
【図１６Ｂ】
2009506858.tif 000039
【図１７Ａ】
2009506858.tif 000040
【図１７Ｂ】
2009506858.tif 000041
【国際調査報告】
2009506858.tif 000042
2009506858.tif 000043
2009506858.tif 000044
2009506858.tif 000045